(57)【要約】      （修正有）【課題】撮影画角が広角でありながらも、低背化を効果的に実現し、諸収差が良好に補正された、解像力の高い撮像レンズを提供する。【解決手段】負の屈折力を有する第１レンズＬ１と、正の屈折力を有する第２レンズＬ２と、第３レンズＬ３と、正の屈折力を有する第４レンズＬ４と、負の屈折力を有し、両面に非球面が形成された第５レンズＬ５と、両面に非球面が形成された第６レンズＬ６とから構成され、前記第１レンズは、像側に凹面を向けており、前記第６レンズの像側の非球面は、光軸近傍で凹面を向けているとともに、光軸上以外の位置に少なくとも１つの極点を有しており、以下の条件式（１）を満足するよう構成される。（１）ω≧４５°ただし、ω：半画角とする。【選択図】図１
2018072716.tif 000002
【特許請求の範囲】
【請求項１】
被写体の像を固体撮像素子上に撮像する撮像レンズであって、物体側から像側に向かって順に、
負の屈折力を有する第１レンズと、
正の屈折力を有する第２レンズと、
第３レンズと、
正の屈折力を有する第４レンズと、
両面に非球面が形成された負の屈折力を有する第５レンズと、
両面に非球面が形成された第６レンズとから構成され、
前記第１レンズは、光軸近傍で像側に凹面を向けており、
前記第６レンズは、光軸近傍で像側に凹面を向けており、像側の面における光軸上以外の位置に少なくとも１つ極点を有しており、
以下の条件式（１）を満足することを特徴とする撮像レンズ。
（１）  ω≧４５°
ただし、
ω：半画角
とする。
【請求項２】
以下の条件式を満足することを特徴とする請求項１に記載の撮像レンズ。
（２）  ０．１＜ＳＡＧ  Ｌ１Ｒ／ｒ２＜０．６
ただし、
ＳＡＧ  Ｌ１Ｒ：第１レンズの像側の面の有効径端のサグ量
ｒ２：第１レンズの像側の面の曲率半径
とする。
【請求項３】
以下の条件式を満足することを特徴とする請求項１または請求項２に記載の撮像レンズ。
（３）  ０．５＜ｒ２／ｆ＜１．５
ただし、
ｒ２：第１レンズの像側の面の曲率半径
ｆ：全系の焦点距離
とする。
【請求項４】
前記第２レンズは、光軸近傍で物体側に凸面を向けていること
を特徴とする請求項１から請求項３のいずれか一項に記載の撮像レンズ。
【請求項５】
前記第３レンズは、
負の屈折力を有し、
光軸近傍で像側に凹面を向けていること
を特徴とする請求項１から請求項４のいずれか一項に記載の撮像レンズ。
【請求項６】
前記第４レンズは、光軸近傍で像側に凸面を向けていること
を特徴とする請求項１から請求項５のいずれか一項に記載の撮像レンズ。
【請求項７】
前記第６レンズは、
負の屈折力を有し、
光軸近傍で物体側に凸面を向けていること
を特徴とする請求項１から請求項６のいずれか一項に記載の撮像レンズ。
【請求項８】
以下の条件式を満足することを特徴とする請求項１から請求項７のいずれか一項に記載の撮像レンズ。
（４）  ｆ２−ｆ４＞０
ただし、
ｆ２：第２レンズの焦点距離
ｆ４：第４レンズの焦点距離
とする。
【請求項９】
以下の条件式を満足することを特徴とする請求項１から請求項８のいずれか一項に記載の撮像レンズ。
（５）    −２．５＜ｆ１／ｆ＜−１．０
（６）      ０．５＜ｆ２／ｆ＜  １．５
（７）    −６．０＜ｆ３／ｆ＜−１．５
（８）      ０．５＜ｆ４／ｆ＜  １．５
（９）    −６．０＜ｆ５／ｆ＜−１．５
（１０）  −２．５＜ｆ６／ｆ＜−１．０
ただし、
ｆ１：第１レンズの焦点距離
ｆ２：第２レンズの焦点距離
ｆ３：第３レンズの焦点距離
ｆ４：第４レンズの焦点距離
ｆ５：第５レンズの焦点距離
ｆ６：第６レンズの焦点距離
ｆ：全系の焦点距離
とする。
【請求項１０】
以下の条件式を満足することを特徴とする請求項１から請求項９のいずれか一項に記載の撮像レンズ。
（１１）  １．０＜ｆ４５６／ｆ＜２．５
ただし、
ｆ４５６：第４レンズ、第５レンズ、第６レンズの合成焦点距離
ｆ：全系の焦点距離
とする。
【請求項１１】
以下の条件式を満足することを特徴とする請求項１から請求項１０のいずれか一項に記載の撮像レンズ。
（１２）  ０．２＜ｔ１／ｆ＜０．６
ただし、
ｔ１：第１レンズと第２レンズの間の距離
ｆ：全系の焦点距離
とする。
【請求項１２】
以下の条件式を満足することを特徴とする請求項１から請求項１１のいずれか一項に記載の撮像レンズ。
（１３）  ０．５＜ＣＡ１／ｉｈ＜２．０
ただし、
ＣＡ１：第１レンズの物体側の面の有効径
ｉｈ：最大像高
とする。
【請求項１３】
以下の条件式を満足することを特徴とする請求項１から請求項１２のいずれか一項に記載の撮像レンズ。
（１４）  ０．０５＜ＳＡＧ  Ｌ１Ｆ／ＣＡ１＜０．５０
（１５）  ０．０５＜ＳＡＧ  Ｌ１Ｒ／ＣＡ２＜０．５０
ただし、
ＳＡＧ  Ｌ１Ｆ：第１レンズの物体側の面の有効径端のサグ量
ＳＡＧ  Ｌ１Ｒ：第１レンズの像側の面の有効径端のサグ量
ＣＡ１：第１レンズの物体側の面の有効径
ＣＡ２：第１レンズの像側の面の有効径
とする。
【発明の詳細な説明】
【技術分野】
【０００１】
本発明は、小型の撮像装置に使用されるＣＣＤセンサやＣ-ＭＯＳセンサの固体撮像素子上に被写体の像を結像させる撮像レンズに係り、特に、小型化、低背化が進むスマートフォンや携帯電話機およびＰＤＡ（Ｐｅｒｓｏｎａｌ  Ｄｉｇｉｔａｌ  Ａｓｓｉｓｔａｎｔ）やゲーム機、ＰＣ、ロボットなどの情報機器等、さらにはカメラ機能が付加された家電製品や自動車等に搭載される撮像装置に内蔵する撮像レンズに関するものである。
【背景技術】
【０００２】
近年、多くの情報機器にカメラ機能が搭載されることが一般的となった。また、カメラ付きの家電製品など、利便性に優れた製品が次々と登場しており、このような家電製品や情報機器にカメラ機能を融合させた商品の需要は今後もますます高まり、それに伴う製品開発が急速に進むと予想される。
【０００３】
このような情報機器等に搭載される撮像レンズとして、例えば、以下の特許文献１に６枚構成の撮像レンズが開示されている。
【０００４】
特許文献１には、各々が物体側に向いた物体側の面と像側に向いた像側の面とを有するとともに屈折力を有する、第１のレンズ素子と、第２のレンズ素子と、第３のレンズ素子と、第４のレンズ素子と、第５のレンズ素子と、第６のレンズ素子と、を当該順序で光軸に沿って物体側から像側へ亘って備える撮像レンズが開示されている。
【先行技術文献】
【特許文献】
【０００５】
【特許文献１】特開２０１６−３１５３１号公報
【発明の概要】
【発明が解決しようとする課題】
【０００６】
しかしながら、上記特許文献１に記載の撮像レンズは、撮像画角は約１４０〜１６０°と広角だが、全長対角比が１．３〜１．５と低背化を十分に満足していない。また、特許文献１に記載のレンズ構成で低背化を図ろうとした場合、周辺部における収差補正が非常に困難であり、良好な光学性能を得ることはできない。
【０００７】
本発明は、上述した課題に鑑みてなされたものであり、撮影画角が広角でありながらも、低背化を効果的に実現し、諸収差が良好に補正された、解像力の高い撮像レンズを提供することを目的とする。
【０００８】
なお、ここでいう広角とは半画角で４５°以上（すなわち全画角で９０°以上）の範囲を撮像可能なレベルを指し、低背とは光学全長が５．５ｍｍ未満で全長対角比が１．１未満のレベルをそれぞれ指している。なお、全長対角比を表す際の、撮像素子の有効撮像面の対角線の長さは、撮像レンズに最大画角から入射した光線が撮像素子の撮像面に結像する際の光軸からの垂直な高さ、すなわち最大像高の２倍の長さであり、有効撮像円の直径と同じものとして扱う。
【０００９】
また、本発明において使用する用語に関し、特に断りが無い限り、レンズの面の凸面、凹面とは光軸近傍における形状を指すものと定義する。極点とは、接平面が光軸に対して垂直に交わる非球面上の点と定義する。光学全長は、例えば、最終段のレンズと撮像面との間に配置される、赤外線カットフィルタやカバーガラス等の光学素子の厚みを空気換算したときの、最も物体側に位置する光学素子の物体側の面から撮像面までの光軸上の距離として定義する。さらに、有効径とは、最大像高へ到達する光線束のうち、最も光軸から離れた位置を通過する光線とレンズ面との交点の光軸からの垂直な高さのことを示す。
【課題を解決するための手段】
【００１０】
（ｉ）本発明の撮像レンズは、物体側から像側に向かって順に、負の屈折力を有する第１レンズと、正の屈折力を有する第２レンズと、第３レンズと、正の屈折力を有する第４レンズと、負の屈折力を有し、両面に非球面が形成された第５レンズと、両面に非球面が形成された第６レンズとから構成され、前記第１レンズは、像側に凹面を向けており、前記第６レンズの像側の非球面は、光軸近傍で凹面を向けているとともに、光軸上以外の位置に少なくとも１つの極点を有しており、以下の条件式（１）を満足するよう構成される。
（１）ω≧４５°
ただし、
ω：半画角
とする。
【００１１】
第１レンズは、負の屈折力を有し、像側に凹面を向けていることで、第１レンズに広い角度から入射した光線を光軸に対して平行に近づけた状態で、第２レンズへ入射させる。
【００１２】
第２レンズは、正の屈折力を有することで、低背化に寄与する。
【００１３】
第４レンズは、その正の屈折力について第２レンズの正の屈折力と適切なバランスを取ることで、低背化を図りつつ、非点収差および像面湾曲を補正する。
【００１４】
第５レンズは、負の屈折力を有することで、色収差を補正する。また、第５レンズの形状は、両面に非球面が形成されることにより、撮像素子への光線入射角度を制御するとともに、歪曲収差を良好に補正する。
【００１５】
第６レンズは、光軸近傍で像側に凹面を向けることでバックフォーカスを確保する。また、第６レンズの形状は、両面に非球面が形成され、像側の面の非球面形状は、極点を有することにより光軸から離れた位置で凸面に変化する。このような非球面形状を備えることで、第５レンズと合わせ、撮像素子への光線入射角度を制御するとともに、歪曲収差を良好に補正する。
【００１６】
上記構成の撮像レンズにおいて、以下の条件式（ａ）を満足することが、十分に低背化された撮像レンズを得る観点から望ましい。
（ａ）  ＴＴＬ／２ｉｈ≦１．１
ただし、
ＴＴＬ：光学全長
ｉｈ：最大像高
とする。
【００１７】
（ｉｉ）また、上記構成の撮像レンズにおいて、前記第１レンズは以下の条件式（２）を満足することが望ましい。
（２）  ０．１＜ＳＡＧ  Ｌ１Ｒ／ｒ２＜０．６
ただし、
ＳＡＧ  Ｌ１Ｒ：第１レンズの像側の面の有効径端のサグ量
ｒ２：第１レンズの像側の面の曲率半径
とする。
【００１８】
条件式（２）は、広角化および製造の容易性をより向上させる条件を規定するものである。条件式（２）の範囲を満足することで、第１レンズを出射する光線の角度を適切にした状態で、第２レンズへ光線を入射させることができる。そのため、より容易に広角化することができる。また、第１レンズの偏肉度を抑えることができ、より容易に製造を行うことができる。
【００１９】
（ｉｉｉ）また、上記構成の撮像レンズにおいて、前記第１レンズは以下の条件式（３）を満足することが望ましい。
（３）  ０．５＜ｒ２／ｆ＜１．５
ただし、
ｒ２：第１レンズの像側の曲率半径
ｆ：全系の焦点距離
とする。
【００２０】
条件式（３）は、広角化の容易性をより向上させ、諸収差の補正をより良好にする条件を規定するものである。条件式（３）の範囲を満足することで、第１レンズの像側の面の曲率半径が最適なものになり、第１レンズを出射する光線の角度を適切にした状態で、第２レンズへ光線を入射させることができる。そのため、より容易に広角化することができる。
【００２１】
（ｉｖ）また、上記構成の撮像レンズにおいて、前記第２レンズは、光軸近傍で物体側に凸面を向けていることが望ましい。このようにすることで、光学全長を短くすることができる。
【００２２】
（ｖ）また、上記構成の撮像レンズにおいて、前記第３レンズは、負の屈折力を有し、光軸近傍で像側に凹面を向けていることが望ましい。このようにすることで、第１レンズ及び第２レンズで発生した色収差を良好に補正することができる。
【００２３】
（ｖｉ）また、上記構成の撮像レンズにおいて、前記第４レンズは、光軸近傍で像側に凸面を向けていることが望ましい。このようにすることで、光軸外からの光線を小さな屈折角で第５レンズへ導き、非点収差および像面湾曲を良好に補正することができる。
【００２４】
（ｖｉｉ）また、上記構成の撮像レンズにおいて、前記第６レンズは、負の屈折力を有し、光軸近傍で物体側に凸面を向けたメニスカス形状であることが望ましい。このようにすることで物体側の面に形成された非球面形状と合わせ、撮像素子への光線入射角度を制御することができる。また、第６レンズの形状がメニスカス形状となるので、第６レンズの偏肉度が抑えられ、より容易に製造を行うことができる。
【００２５】
（ｖｉｉｉ）また、上記構成の撮像レンズにおいて、以下の条件式（４）を満たすことが望ましい。
（４）  ｆ２−ｆ４＞０
ただし、
ｆ２：第２レンズの焦点距離
ｆ４：第４レンズの焦点距離
とする。
【００２６】
条件式（４）は、第２レンズの焦点距離と第４レンズの焦点距離との関係について、非点収差および像面湾曲の適切な補正を効果的に実現する条件を規定するものである。条件式（４）を満足することで、非点収差および像面湾曲を良好に補正することができる。
【００２７】
（ｉｘ）また、上記構成の撮像レンズにおいて、以下の条件式（５）、（６）、（７）、（８）、（９）、（１０）を満たすことが望ましい。
（５）    −２．５＜ｆ１／ｆ＜−１．０
（６）      ０．５＜ｆ２／ｆ＜  １．５
（７）    −６．０＜ｆ３／ｆ＜−１．５
（８）      ０．５＜ｆ４／ｆ＜  １．５
（９）    −６．０＜ｆ５／ｆ＜−１．５
（１０）  −２．５＜ｆ６／ｆ＜−１．０
ただし、
ｆ１：第１レンズの焦点距離
ｆ２：第２レンズの焦点距離
ｆ３：第３レンズの焦点距離
ｆ４：第４レンズの焦点距離
ｆ５：第５レンズの焦点距離
ｆ６：第６レンズの焦点距離
ｆ：全系の焦点距離
とする。
【００２８】
条件式（５）は、第１レンズの焦点距離と全系の焦点距離との比について、広角化の容易性ならびに像面湾曲および歪曲収差の良好な補正を効果的に実現する条件を規定するものである。条件式（５）の範囲を満足することで、第１レンズの負の屈折力が弱くなることを抑え、第１レンズを出射する光線の角度を適切にした状態で第２レンズへ光線を入射させることができる。そのため、より容易に広角化することができる。また、全系の焦点距離に対する第１レンズの屈折力のバランスが強くなりすぎることを抑え、像面湾曲と歪曲収差を良好に補正することができる。
【００２９】
条件式（６）は、第２レンズの焦点距離と全系の焦点距離との比について、公差感度および諸収差の抑制ならびに光学全長の短縮化を効果的に実現する条件を規定するものである。条件式（６）の範囲を満足することで、第２レンズの正の屈折力が大きくなることを抑え、第２レンズで発生する公差感度、球面収差、コマ収差を小さく抑えることができる。また、第２レンズの正の屈折力が小さくなることを抑えることで、第２レンズから第４レンズまでの合成主点がより物体側へ移動するため、光学全長を短くすることができる。
【００３０】
条件式（７）は、第３レンズの焦点距離と全系の焦点距離との比について、色収差の良好な補正ならびに公差感度および諸収差の抑制を効果的に実現する条件を規定するものである。条件式（７）の範囲を満足することで、第３レンズの負の屈折力が小さくなることを抑え、色収差を良好に補正することができる。また、第３レンズの負の屈折力が大きくなることを抑え、公差感度及び諸収差を小さく抑えることができる。
【００３１】
条件式（８）は、第４レンズの焦点距離と全系の焦点距離との比について、公差感度の抑制および光学全長の短縮化を効果的に実現する条件を規定するものである。条件式（８）の範囲を満足することで、第４レンズの正の屈折力が強くなることを抑え、公差感度を小さく抑えることができる。また、第４レンズの正の屈折力が弱くなることを抑え、光学全長を短くすることができる。
【００３２】
条件式（９）は、第５レンズの焦点距離と全系の焦点距離との比について、色収差の良好な補正および光学全長の短縮化を効果的に実現する条件を規定するものである。条件式（９）の範囲を満足することで、第５レンズの負の屈折力が小さくなることを抑え、色収差を良好に補正することができる。また、第５レンズの負の屈折力が大きくなることを抑え、光学全長を短くすることができる。
【００３３】
条件式（１０）は、第６レンズの焦点距離と全系の焦点距離との比について、バックフォーカスの確保および光学全長の短縮化を効果的に実現する条件を規定するものである。条件式（１０）の範囲を満足することで、第６レンズの負の屈折力が小さくなることを抑え、バックフォーカスを確保することができる。また、負の屈折力が大きくなることを抑え、光学全長を短くすることができる。
【００３４】
（ｘ）また、上記構成の撮像レンズにおいて、以下の条件式（１１）を満たすことが望ましい。
（１１）  １．０＜ｆ４５６／ｆ＜２．５
ただし、
ｆ４５６：第４レンズ、第５レンズ、第６レンズの合成焦点距離
ｆ：全系の焦点距離
とする。
【００３５】
条件式（１１）は、第４レンズ、第５レンズ、第６レンズの合成焦点距離と全系の焦点距離との比について、像面湾曲の良好な補正および光学全長の短縮化を効果的に実現する条件を規定するものである。条件式（１１）の範囲を満足することで、像面湾曲を良好に補正し、光学全長を短くすることができる。
【００３６】
（ｘｉ）また、上記構成の撮像レンズにおいて、以下の条件式（１２）を満たすことが望ましい。
（１２）  ０．２＜ｔ１／ｆ＜０．６
ただし、
ｔ１：第１レンズと第２レンズの間の光軸上の距離
ｆ：全系の焦点距離
とする。
【００３７】
条件式（１２）は、第１レンズと第２レンズの間の光軸上の距離と全系の焦点距離との比について、諸収差の良好な補正および低背化を効果的に実現する条件を規定するものである。条件式（１２）の範囲を満足することで、第１レンズの非球面形状の設計自由度を確保し、諸収差を良好に補正することができる。また、光学全長を短くすることができる。
【００３８】
（ｘｉｉ）また、上記構成の撮像レンズにおいて、以下の条件式（１３）を満足することが、広角かつ諸収差が良好に補正された撮像レンズを得る観点から望ましい。
（１３）  ０．５＜ＣＡ１／ｉｈ＜２．０
ただし、
ＣＡ１：第１レンズの物体側の面の有効径
ｉｈ：最大像高
とする。
【００３９】
条件式（１３）は、最大像高と第１レンズの物体側の面の有効径との比について、広角化と撮像素子への光線入射角度の制御を効果的に実現する条件を規定するものである。条件式（１３）の範囲を満足することで、撮像素子に対する第１レンズの物体側の面の有効径を適切な状態にすることができる。そのため、広角化と撮像素子への光線入射角度の制御をより容易にすることができる。
【００４０】
（ｘｉｉｉ）また、上記構成の撮像レンズにおいて、以下の条件式（１４）、（１５）を満足することが望ましい。
（１４）  ０．０５＜ＳＡＧ  Ｌ１Ｆ／ＣＡ１＜０．５０
（１５）  ０．０５＜ＳＡＧ  Ｌ１Ｒ／ＣＡ２＜０．５０
ただし、
ＳＡＧ  Ｌ１Ｆ：第１レンズの物体側の面の有効径端のサグ量
ＳＡＧ  Ｌ１Ｒ：第１レンズの像側の面の有効径端のサグ量
ＣＡ１：第１レンズの物体側の面の有効径
ＣＡ２：第１レンズの像側の面の有効径
とする。
【００４１】
条件式（１４）は、広角化および製造の容易性をより向上させる条件を規定するものである。条件式（１４）の範囲を満足することにより、第１レンズの物体側の面を適切な状態にすることができ、広角化と製造をより容易に行うことができる。
【００４２】
条件式（１５）は、広角化および製造の容易性をより向上させる条件を規定するものである。条件式（１５）の範囲を満足することにより、第１レンズを出射する光線の角度を適切にした状態で、第２レンズへ光線を入射させることができる。これにより、より容易に広角化することができる。また、第１レンズの偏肉度が抑えられ、より容易に製造を行うことができる。
【発明の効果】
【００４３】
本発明により、撮影画角が広角でありながら、低背化を効果的に実現し、諸収差が良好に補正された高解像力を備えた小型の撮像レンズを得ることができる。
【図面の簡単な説明】
【００４４】
【図１】本発明の実施例１の撮像レンズの概略構成を示す図である。
【図２】本発明の実施例１の撮像レンズの球面収差、非点収差、歪曲収差を示す図である。
【図３】本発明の実施例２の撮像レンズの概略構成を示す図である。
【図４】本発明の実施例２の撮像レンズの球面収差、非点収差、歪曲収差を示す図である。
【図５】本発明の実施例３の撮像レンズの概略構成を示す図である。
【図６】本発明の実施例３の撮像レンズの球面収差、非点収差、歪曲収差を示す図である。
【図７】本発明の実施例４の撮像レンズの概略構成を示す図である。
【図８】本発明の実施例４の撮像レンズの球面収差、非点収差、歪曲収差を示す図である。
【図９】本発明の実施例５の撮像レンズの概略構成を示す図である。
【図１０】本発明の実施例５の撮像レンズの球面収差、非点収差、歪曲収差を示す図である。
【図１１】本発明の実施例６の撮像レンズの概略構成を示す図である。
【図１２】本発明の実施例６の撮像レンズの球面収差、非点収差、歪曲収差を示す図である。
【図１３】本発明の有効径を説明する図である。
【図１４】本発明の第１レンズの有効径端のサグ量を説明する図である。
【発明を実施するための形態】
【００４５】
以下、本発明に係る実施形態について図面を参照しながら詳細に説明する。
【００４６】
図１、図３、図５、図７、図９、および図１１はそれぞれ、本発明の実施例１から実施例６に係る撮像レンズの概略構成図を示している。いずれも基本的なレンズ構成は同様であるため、ここでは主に実施例１の概略構成図を参照しながら、本実施形態の撮像レンズ構成について説明する。
【００４７】
図１に示すように、本実施形態の撮像レンズは、撮像素子上に被写体の像を結像させる撮像レンズであって、物体側から像側に向かって順に、負の屈折力を有し、光軸Ｘの近傍で像側に凹面を向けた第１レンズＬ１と、正の屈折力を有する第２レンズＬ２と、第３レンズＬ３と、正の屈折力を有する第４レンズＬ４と、負の屈折力を有し、両面に非球面が形成された第５レンズＬ５と、光軸Ｘの近傍で像側に凹面を向け、像側の面における光軸上以外の位置（すなわち光軸から外れた位置）に少なくとも１つ極点を有し、両面に非球面が形成された第６レンズＬ６とから構成されている。
【００４８】
また、第６レンズＬ６と撮像面ＩＭとの間には、赤外線カットフィルタやカバーガラス等のフィルタＩＲが配置されている。なお、このフィルタＩＲは省略することが可能である。
【００４９】
第１レンズＬ１は、光軸Ｘの近傍で像側の面が凹面に形成されたメニスカス形状のレンズである。これにより、広い角度からの光線入射を可能にし、第１レンズＬ１を出射する光線の角度を適切にした状態で、第２レンズＬ２へ光線を入射させることができる。なお、第１レンズＬ１の形状は、光軸Ｘの近傍で像側の面が凹面であればよく、図５に示す実施例３のように、光軸Ｘの近傍で物体側、および像側の面がともに凹面の両凹形状や、図９に示す実施例５のように、光軸Ｘの近傍で物体側の面が平面、像側の面が凹面を向けた平凹形状でもよい。
【００５０】
第２レンズＬ２は、光軸Ｘの近傍で物体側、および像側の面が凸面に形成された両凸形状である。第２レンズＬ２により、低背化を図っている。
【００５１】
第３レンズＬ３は、負の屈折力を有し、光軸Ｘの近傍で物体側、および像側の面がともに凹面の両凹形状のレンズである。第３レンズＬ３は、第１レンズ及び第２レンズで発生した球面収差と色収差を補正している。なお、第３レンズＬ３の形状は、光軸Ｘの近傍で像側の面が凹面であればよく、図９に示す実施例５のように、光軸Ｘの近傍で物体側に凸面を向けたメニスカス形状のレンズでもよい。さらに、第３レンズＬ３の形状は、物体側の面が光軸Ｘの近傍で平面の平凹形状であってもよい。
【００５２】
第４レンズＬ４は、光軸Ｘの近傍で物体側の面が凹面に形成され、像側の面が凸面に形成されたメニスカス形状のレンズである。第４レンズＬ４の屈折力と第２レンズＬ２の屈折力と適切なバランスを取ることで、低背化を図りながら、非点収差および像面湾曲を補正している。なお、第４レンズＬ４の形状は、光軸Ｘの近傍で像側の面が凸面であればよく、図９に示す実施例５のように、光軸Ｘの近傍で物体側、および像側の面がともに凸面の両凸形状でもよい。
【００５３】
第５レンズＬ５は、光軸Ｘの近傍で物体側の面が凹面に形成され、像側の面が凸面に形成されたメニスカス形状のレンズである。第５レンズＬ５が負の屈折力に設定されることで、色収差を補正している。第５レンズＬ５の形状は両面に非球面が形成されており、撮像素子への光線入射角度を制御するとともに、歪曲収差を良好に補正している。なお、第５レンズＬ５の形状は、図３に示す実施例２のように、光軸Ｘの近傍で物体側、および像側の面がともに凹面の両凹形状でもよい。さらに、第５レンズＬ５の形状は、物体側の面および像側の面のいずれか一方において光軸近傍が平面でもよい。
【００５４】
第６レンズＬ６は、負の屈折力に設定されている。また、光軸Ｘの近傍で物体側の面が凸面に形成されたメニスカス形状のレンズである。第６レンズＬ６の形状は、両面に非球面が形成されており、像側の面の非球面形状は、極点を有することにより光軸から離れた位置で凸面に変化している。このような非球面形状を備えることで、第５レンズＬ５と合わせ、撮像素子への光線入射角度を制御するとともに、歪曲収差を良好に補正している。
【００５５】
また、本実施形態の撮像レンズは、以下の条件式（ａ）を満足しており、十分に低背化された撮像レンズが得られている。
（ａ）  ＴＴＬ／２ｉｈ≦１．１
ただし、
ＴＴＬ：光学全長
ｉｈ：最大像高
とする。
【００５６】
また、本実施形態の撮像レンズは、以下の条件式（１）を満足しており、十分に広角化された撮像レンズが得られている。
（１）  ω≧４５°
ただし、
ω：半画角
とする。
【００５７】
また、本実施形態の撮像レンズは、以下の条件式（２）を満足しており、広角化を図りつつ、製造を容易にしている。
（２）  ０．１＜ＳＡＧ  Ｌ１Ｒ／ｒ２＜０．６
ただし、
ＳＡＧ  Ｌ１Ｒ：第１レンズの像側の面の有効径端のサグ量
ｒ２：第１レンズの像側の面の曲率半径
とする。
【００５８】
なお、条件式（２）については、以下の条件式（２ａ）がより好ましい条件であり、条件式（２ｂ）が特に好ましい範囲である。
（２ａ）  ０．１  ＜ＳＡＧ  Ｌ１Ｒ／ｒ２＜０．５５
（２ｂ）  ０．１５＜ＳＡＧ  Ｌ１Ｒ／ｒ２＜０．５
【００５９】
また、本実施形態の撮像レンズは、以下の条件式（３）を満足しており、広角化を図りつつ、諸収差を良好に補正している。
（３）  ０．５＜ｒ２／ｆ＜１．５
ただし、
ｒ２：第１レンズの像側の面の曲率半径
ｆ：全系の焦点距離
とする。
【００６０】
なお、条件式（３）については、以下の条件式（３ａ）がより好ましい条件であり、条件式（３ｂ）が特に好ましい範囲である。
（３ａ）  ０．６  ＜ｒ２／ｆ＜１．３
（３ｂ）  ０．６５＜ｒ２／ｆ＜１．１５
【００６１】
また、本実施形態の撮像レンズは、以下の条件式（４）を満足しており、第２レンズＬ２の焦点距離と第４レンズＬ４の焦点距離との関係が、非点収差および像面湾曲の適切な補正を効果的に実現するために適切なものとなっている。
（４）  ｆ２−ｆ４＞０
ただし、
ｆ２：第２レンズの焦点距離
ｆ４：第４レンズの焦点距離
とする。
【００６２】
また、本実施形態の撮像レンズは、以下の条件式（５）を満足しており、第１レンズＬ１の焦点距離と全系の焦点距離との比が、広角化の容易性ならびに像面湾曲および歪曲収差の良好な補正を効果的に実現するために適切なものとなっている。
（５）  −２．５＜ｆ１／ｆ＜−１．０
ただし、
ｆ１：第１レンズの焦点距離
ｆ：全系の焦点距離
とする。
【００６３】
なお、条件式（５）については、以下の条件式（５ａ）がより好ましい条件であり、条件式（５ｂ）が特に好ましい範囲である。
（５ａ）  −２．３＜ｆ１／ｆ＜−１．３
（５ｂ）  −２．２＜ｆ１／ｆ＜−１．５
【００６４】
また、本実施形態の撮像レンズは、以下の条件式（６）を満足しており、第２レンズＬ２の焦点距離と全系の焦点距離との比が、公差感度および諸収差の抑制ならびに光学全長の短縮化を効果的に実現するために適切なものとなっている。
（６）  ０．５＜ｆ２／ｆ＜１．５
ただし、
ｆ２：第２レンズの焦点距離
ｆ：全系の焦点距離
とする。
【００６５】
なお、条件式（６）については、以下の条件式（６ａ）がより好ましい条件であり、条件式（６ｂ）が特に好ましい範囲である。
（６ａ）  ０．７＜ｆ２／ｆ＜１．３
（６ｂ）  ０．８＜ｆ２／ｆ＜１．２
【００６６】
また、本実施形態の撮像レンズは、以下の条件式（７）を満足しており、第３レンズＬ３の焦点距離と全系の焦点距離との比が、色収差の良好な補正ならびに公差感度および諸収差の抑制を効果的に実現するために適切なものとなっている。
（７）  −６．０＜ｆ３／ｆ＜−１．５
ただし、
ｆ３：第３レンズの焦点距離
ｆ：全系の焦点距離
とする。
【００６７】
なお、条件式（７）については、以下の条件式（７ａ）がより好ましい条件であり、条件式（７ｂ）が特に好ましい範囲である。
（７ａ）  −５．５＜ｆ３／ｆ＜−１．８
（７ｂ）  −５．３＜ｆ３／ｆ＜−２．０
【００６８】
また、本実施形態の撮像レンズは、以下の条件式（８）を満足しており、第４レンズＬ４の焦点距離と全系の焦点距離との比が、公差感度の抑制および光学全長の短縮化を効果的に実現するために適切なものとなっている。
（８）  ０．５＜ｆ４／ｆ＜１．５
ただし、
ｆ４：第４レンズの焦点距離
ｆ：全系の焦点距離
とする。
【００６９】
なお、条件式（８）については、以下の条件式（８ａ）がより好ましい条件であり、条件式（８ｂ）が特に好ましい範囲である。
（８ａ）  ０．５＜ｆ４／ｆ＜１．２
（８ｂ）  ０．６＜ｆ４／ｆ＜１．０
【００７０】
また、本実施形態の撮像レンズは、以下の条件式（９）を満足しており、第５レンズＬ５の焦点距離と全系の焦点距離との比が、色収差の良好な補正および光学全長の短縮化を効果的に実現するために適切なものとなっている。
（９）  −６．０＜ｆ５／ｆ＜−１．５
ただし、
ｆ５：第５レンズの焦点距離
ｆ：全系の焦点距離
とする。
【００７１】
なお、条件式（９）については、以下の条件式（９ａ）がより好ましい条件であり、条件式（９ｂ）が特に好ましい範囲である。
（９ａ）  −５．０＜ｆ５／ｆ＜−１．７
（９ｂ）  −４．５＜ｆ５／ｆ＜−１．８
【００７２】
また、本実施形態の撮像レンズは、以下の条件式（１０）を満足しており、第６レンズＬ６の焦点距離と全系の焦点距離との比が、バックフォーカスの確保および光学全長の短縮化を効果的に実現するために適切なものとなっている。
（１０）  −２．５＜ｆ６／ｆ＜−１．０
ただし、
ｆ６：第６レンズの焦点距離
ｆ：全系の焦点距離
とする。
【００７３】
なお、条件式（１０）については、以下の条件式（１０ａ）がより好ましい条件であり、条件式（１０ｂ）が特に好ましい範囲である。
（１０ａ）  −２．３＜ｆ６／ｆ＜−１．２
（１０ｂ）  −２．１＜ｆ６／ｆ＜−１．２
【００７４】
また、本実施形態の撮像レンズは、以下の条件式（１１）を満足しており、第４レンズＬ４、第５レンズＬ５、第６レンズＬ６の合成焦点距離と全系の焦点距離との比が、像面湾曲の良好な補正および光学全長の短縮化を効果的に実現するために適切なものとなっている。
（１１）  １．０＜ｆ４５６／ｆ＜２．５
ただし、
ｆ４５６：第４レンズ、第５レンズ、第６レンズの合成焦点距離
ｆ：全系の焦点距離
とする。
【００７５】
なお、条件式（１１）については、以下の条件式（１１ａ）がより好ましい条件であり、条件式（１１ｂ）が特に好ましい範囲である。
（１１ａ）  １．２＜ｆ４５６／ｆ＜２．３
（１１ｂ）  １．３＜ｆ４５６／ｆ＜２．０
【００７６】
また、本実施形態の撮像レンズは、以下の条件式（１２）を満足しており、諸収差を良好に補正し、光学全長の短縮化を効果的に実現するために適切なものとなっている。
（１２）  ０．２＜ｔ１／ｆ＜０．６
ただし、
ｔ１：第１レンズと第２レンズの間の光軸上の距離
ｆ：全系の焦点距離
とする。
【００７７】
なお、条件式（１２）については、以下の条件式（１２ａ）がより好ましい条件であり、条件式（１２ｂ）が特に好ましい範囲である。
（１２ａ）  ０．２５＜ｔ１／ｆ＜０．５８
（１２ｂ）  ０．２８＜ｔ１／ｆ＜０．５５
【００７８】
また、本実施形態の撮像レンズは、以下の条件式（１３）を満足しており、広角化と撮像素子への光線入射角度の制御を効果的に実現するために適切なものとなっている。
（１３）  ０．５＜ＣＡ１／ｉｈ＜２．０
ただし、
ＣＡ１：第１レンズの物体側の面の有効径
ｉｈ：最大像高
とする。
【００７９】
なお、条件式（１３）については、以下の条件式（１３ａ）がより好ましい条件であり、条件式（１３ｂ）が特に好ましい範囲である。
（１３ａ）  ０．６＜ＣＡ１／ｉｈ＜１．７
（１３ｂ）  ０．７＜ＣＡ１／ｉｈ＜１．５
【００８０】
また、本実施形態の撮像レンズは、以下の条件式（１４）を満足しており、広角化を図りつつ、製造を容易にするために適切なものとなっている。
（１４）  ０．０５＜ＳＡＧ  Ｌ１Ｆ／ＣＡ１＜０．５０
ただし、
ＳＡＧ  Ｌ１Ｆ：第１レンズの物体側の面の有効径端のサグ量
ＣＡ１：第１レンズの物体側の面の有効径
とする。
【００８１】
なお、条件式（１４）については、以下の条件式（１４ａ）がより好ましい条件であり、条件式（１４ｂ）が特に好ましい範囲である。
（１４ａ）  ０．０６＜ＳＡＧ  Ｌ１Ｆ／ＣＡ１＜０．３０
（１４ｂ）  ０．０７＜ＳＡＧ  Ｌ１Ｆ／ＣＡ１＜０．２０
【００８２】
また、本実施形態の撮像レンズは、以下の条件式（１５）を満足しており、広角化を図りつつ、製造を容易にするために適切なものとなっている。
（１５）  ０．０５＜ＳＡＧ  Ｌ１Ｒ／ＣＡ２＜０．５０
ただし、
ＳＡＧ  Ｌ１Ｒ：第１レンズの像側の面の有効径端のサグ量
ＣＡ２：第１レンズの像側の面の有効径
とする。
【００８３】
なお、条件式（１５）については、以下の条件式（１５ａ）がより好ましい条件であり、条件式（１５ｂ）が特に好ましい範囲である。
（１５ａ）  ０．１０＜ＳＡＧ  Ｌ１Ｒ／ＣＡ２＜０．４５
（１５ｂ）  ０．２０＜ＳＡＧ  Ｌ１Ｒ／ＣＡ２＜０．４０
【００８４】
もちろん、このような構成は一例であって、本発明の目的に反しない限り、これ以外の構成を採用してもよい。
【００８５】
また、本実施形態の撮像レンズにおいて、すべての条件式を満足することが望ましいが、条件式を単独に満足することにより、条件式に対応する作用効果をそれぞれ得ることができる。
【００８６】
本実施形態において、レンズ面の非球面に採用する非球面形状は、光軸方向の軸をＺ、光軸に直交する方向の高さをＨ、曲率半径をＲ、円錐係数をｋ、非球面係数をＡ４、Ａ６、Ａ８、Ａ１０、Ａ１２、Ａ１４、Ａ１６としたとき、数１により表わされる。
【００８７】
【数１】
2018072716.tif 000003
【００８８】
次に、本実施形態に係る撮像レンズの実施例を示す。各実施例において、ｆは撮像レンズ全系の焦点距離を、ＦｎｏはＦナンバーを、ωは半画角を、ｉｈは最大像高を、ＴＴＬは光学全長を、それぞれ示す。また、ｉは物体側から数えた面番号、ｒは曲率半径、ｄは光軸上のレンズ面間の距離（面間隔）、Ｎｄはｄ線（基準波長）の屈折率、νｄはｄ線に対するアッベ数をそれぞれ示す。なお、非球面に関しては、面番号ｉの後に＊（アスタリスク）の符号を付加して示す。
【００８９】
（実施例１）
基本的なレンズデータを以下の表１に示す。
【００９０】
【表１】
2018072716.tif 000004
【００９１】
実施例１の撮像レンズは、表７に示すように条件式（ａ）および、条件式（１）から（１５）を満たしている。
【００９２】
図２は実施例１の撮像レンズについて、球面収差（ｍｍ）、非点収差（ｍｍ）、歪曲収差（％）を示したものである。球面収差図は、Ｆ線（４８６ｎｍ）、ｄ線（５８８ｎｍ）、Ｃ線（６５６ｎｍ）の各波長に対する収差量を示している。また、非点収差図にはサジタル像面Ｓ、タンジェンシャル像面Ｔにおけるｄ線の収差量をそれぞれ示している（図４、図６、図８、図１０、および図１２においても同様である）。図２に示すように、各収差は良好に補正されていることが分かる。
【００９３】
（実施例２）
基本的なレンズデータを以下の表２に示す。
【００９４】
【表２】
2018072716.tif 000005
【００９５】
実施例２の撮像レンズは、表７に示すように条件式（ａ）および、条件式（１）から（１５）を満たしている。
【００９６】
図４は実施例２の撮像レンズについて、球面収差（ｍｍ）、非点収差（ｍｍ）、歪曲収差（％）を示したものである。図４に示すように、各収差は良好に補正されていることが分かる。
【００９７】
（実施例３）
基本的なレンズデータを以下の表３に示す。
【００９８】
【表３】
2018072716.tif 000006
【００９９】
実施例３の撮像レンズは、表７に示すように条件式（ａ）および、条件式（１）から（１５）を満たしている。
【０１００】
図６は実施例３の撮像レンズについて、球面収差（ｍｍ）、非点収差（ｍｍ）、歪曲収差（％）を示したものである。図６に示すように、各収差は良好に補正されていることが分かる。
【０１０１】
（実施例４）
基本的なレンズデータを以下の表４に示す。
【０１０２】
【表４】
2018072716.tif 000007
【０１０３】
実施例４の撮像レンズは、表７に示すように条件式（ａ）および、条件式（１）から（１５）を満たしている。
【０１０４】
図８は実施例４の撮像レンズについて、球面収差（ｍｍ）、非点収差（ｍｍ）、歪曲収差（％）を示したものである。図８に示すように、各収差は良好に補正されていることが分かる。
【０１０５】
（実施例５）
基本的なレンズデータを以下の表５に示す。
【０１０６】
【表５】
2018072716.tif 000008
【０１０７】
実施例５の撮像レンズは、表７に示すように条件式（ａ）および、条件式（１）から（１５）を満たしている。
【０１０８】
図１０は実施例５の撮像レンズについて、球面収差（ｍｍ）、非点収差（ｍｍ）、歪曲収差（％）を示したものである。図１０に示すように、各収差は良好に補正されていることが分かる。
【０１０９】
（実施例６）
基本的なレンズデータを以下の表６に示す。
【０１１０】
【表６】
2018072716.tif 000009
【０１１１】
実施例６の撮像レンズは、表７に示すように条件式（ａ）および、条件式（１）から（１５）を満たしている。
【０１１２】
図１２は実施例６の撮像レンズについて、球面収差（ｍｍ）、非点収差（ｍｍ）、歪曲収差（％）を示したものである。図１２に示すように、各収差は良好に補正されていることが分かる。
【０１１３】
以上、説明したように、本発明の実施形態に係る撮像レンズは、全画角（２ω）が９０°以上の広角でありながら、光学全長ＴＴＬが５．５ｍｍ未満で、全長対角比（ＴＴＬ／２ｉｈ）が１．１未満に低背化し、諸収差が良好に補正された、解像力の高い撮像レンズの提供を可能にする。
【０１１４】
表７に実施例１から６に係る条件式（ａ）および、条件式（１）から条件式（１５）の値を示す。
【０１１５】
【表７】
2018072716.tif 000010
【産業上の利用可能性】
【０１１６】
本発明に係る６枚構成の撮像レンズを、小型化、低背化が進むスマートフォンや携帯端末機器等、ゲーム機やＰＣ、ロボットなどの情報機器等、さらにはカメラ機能が付加された家電製品や自動車等に搭載される撮像装置へ適用した場合、当該カメラの低背化および広角化への寄与とともに高性能化を図ることができる。
【符号の説明】
【０１１７】
ＳＴ  開口絞り
Ｌ１  第１レンズ
Ｌ２  第２レンズ
Ｌ３  第３レンズ
Ｌ４  第４レンズ
Ｌ５  第５レンズ
Ｌ６  第６レンズ
ＩＲ  フィルタ
ＩＭ  撮像面
ｉｈ  最大像高
【図１】
2018072716.tif 000011
【図２】
2018072716.tif 000012
【図３】
2018072716.tif 000013
【図４】
2018072716.tif 000014
【図５】
2018072716.tif 000015
【図６】
2018072716.tif 000016
【図７】
2018072716.tif 000017
【図８】
2018072716.tif 000018
【図９】
2018072716.tif 000019
【図１０】
2018072716.tif 000020
【図１１】
2018072716.tif 000021
【図１２】
2018072716.tif 000022
【図１３】
2018072716.tif 000023
【図１４】
2018072716.tif 000024